【手続補正書】
【提出日】平成17年3月17日(2005.3.17)
【手続補正１】
【補正対象書類名】明細書
【補正対象項目名】発明の名称
【補正方法】変更
【補正の内容】
【発明の名称】パチンコ機の表示ユニットと内蔵データ書き換え方法及び書き換え装置
【手続補正２】
【補正対象書類名】明細書
【補正対象項目名】特許請求の範囲
【補正方法】変更
【補正の内容】
【特許請求の範囲】
【請求項１】
パチンコ機の遊技盤上で玉が動く遊技の進行状況を検出し状況信号を出力する複数のセンサと、前記各種の状況信号と対応して出力される各種の図柄及び又は効果音声を指定する表示コードを外部に出力する主基板と、これらの表示コードを受信する表示ユニットとからなり、この表示ユニットは前記主基板と別体に箱状の容器と表示パネルとサブ基板とから構成され、前記容器内に外部からは部品に触れられないように前記サブ基板を格納し、このサブ基板には各種の図柄及び又は音声データを記憶する記憶装置と中央演算装置とを備え、この中央演算装置は前記表示コードに対応する図柄データを前記記憶装置から読み出し、前記表示パネルに表示するパチンコ機の表示ユニットにおいて、
前記主基板には、組み合わせコードを予め記憶したメモリを設け、
前記サブ基板上の記憶装置を書き換え可能な記憶装置にするとともに、この記憶装置には各種の図柄及び又は音声データの内容を前記サブ基板の中央演算装置が所定の計算により計算した値が、前記組み合わせコードと一致するようなデータを記録したことを特徴とするパチンコ機の表示ユニット。
【請求項２】
前記書き換え可能な記憶装置を電気的に消去可能でかつ書き込み可能なＥＥＰＲＯＭやフラッシュＲＯＭから構成したことを特徴とする第１項記載のパチンコ機の表示ユニット。
【請求項３】
前記書き換え可能な記憶装置を、前記容器内に設けたディスク駆動装置と前記容器に挿入孔を形成しこの挿入孔を介しディスク駆動装置に交換可能に装着されたディスクとから構成したことを特徴とする第１項記載のパチンコ機の表示ユニット。
【請求項４】
パチンコ機の遊技盤上で玉が動く遊技の進行状況を検出し状況信号を出力する複数のセンサと、前記各種の状況信号と対応して出力される各種の図柄及び又は効果音声を指定する表示コードを外部に出力する主基板と、これらの表示コードを受信する表示ユニットとからなり、この表示ユニットは前記主基板と別体に箱状の容器と表示パネルとサブ基板とから構成し、前記容器内に外部からは部品に触れられないように前記サブ基板を格納し、このサブ基板には各種の図柄及び又は音声データを記憶する記憶装置と中央演算装置とを備え、この中央演算装置は前記表示コードに対応する図柄データを前記記憶装置から読み出し、前記表示パネルに表示するものに対応する方法であって、
前記主基板には、組み合わせコードを予め記憶したメモリを設け、
前記サブ基板上の記憶装置を書き換え可能な記憶装置にするとともに、前記主基板から分離した前記表示ユニットに、別種の図柄及び又は音声データを保有した書き換え装置を接続し、この保有される各種データの内容を、前記サブ基板の中央演算装置が所定の計算により計算した値が、前記組み合わせコードと一致するような各種の図柄及び又は音声データから予め作成し、このデータを書き換え装置から前記書き換え可能な記憶装置に更新して記録することを特徴とするパチンコ機の表示ユニットの内蔵データ書き換え方法。
【請求項５】
パチンコ機の遊技盤上で玉が動く遊技の進行状況を検出し状況信号を出力する複数のセンサと、前記各種の状況信号と対応して出力される各種の図柄及び又は効果音声を指定する表示コードを外部に出力する主基板と、これらの表示コードを受信する表示ユニットとからなり、この表示ユニットは前記主基板と別体に箱状の容器と表示パネルとサブ基板とから構成され、前記容器内に外部からは部品に触れられないように前記サブ基板を格納し、このサブ基板には各種の図柄及び又は音声データを記憶する記憶装置と中央演算装置とを備え、この中央演算装置は前記表示コードに対応する図柄データを前記記憶装置から読み出し、前記表示パネルに表示する当該表示ユニットに対し、前記記憶装置に格納されたデータを更新する書き換え装置であって、
この書き換え装置は前記主基板から分離された前記表示ユニットに接続可能なコネクターを備え、前記パチンコ機の主基板には、組み合わせコードを予め記憶したメモリを設け、
前記記憶装置を書き換え可能な記憶装置から構成し、前記書き換え装置は別種の図柄及び又は音声データを保有し、この保有された各種データの内容を、前記サブ基板の中央演算装置が所定の計算により計算するとその値が、前記組み合わせコードと一致するような各種の図柄及び又は音声データから構成し、これらデータを前記書き換え可能な記憶装置に更新して記録することを特徴とするパチンコ機の表示ユニットの内蔵データ書き換え装置。
【請求項６】
この書き換え装置には所定電圧を供給する電源部を設け、前記サブ基板には当該書き換え装置と前記書き換え可能な記憶装置との間にこれら相互のデータ転送を可能または不可能にする電子スイッチを設け、前記電源部から前記コネクターを介して前記所定電圧が前記電子スイッチに供給されると、前記書き換え装置と前記書き換え可能な記憶装置とが当該電子スイッチによりデータ転送を可能になることを特徴とする請求項５に記載のパチンコ機の表示ユニットの内蔵データ書き換え装置。
【手続補正３】
【補正対象書類名】明細書
【補正対象項目名】００１３
【補正方法】変更
【補正の内容】
【００１３】
【課題を解決するための手段】
パチンコ機の遊技盤上で玉が動く遊技の進行状況を検出し状況信号を出力する複数のセンサと、前記各種の状況信号と対応して出力される各種の図柄及び又は効果音声を指定する表示コードを外部に出力する主基板と、これらの表示コードを受信する表示ユニットとを設ける。この表示ユニットは前記主基板と別体に箱状の容器と表示パネルとサブ基板とから構成する。前記容器内に外部からは部品に触れられないように前記サブ基板を格納し、このサブ基板には各種の図柄及び又は音声データを記憶する記憶装置と中央演算装置とを備える。この中央演算装置は前記表示コードに対応する図柄データを前記記憶装置から読み出し、前記表示パネルに表示する。前記主基板には、組み合わせコードを予め記憶したメモリを設ける。前記サブ基板上の記憶装置を書き換え可能な記憶装置にする。前記主基板から分離した前記表示ユニットに、別種の図柄と音声データを保有した書き換え装置を接続する。この保有される各種データの内容を、前記サブ基板の中央演算装置が所定の計算により計算した値が、前記組み合わせコードと一致するような各種の図柄及び又は音声データから予め作成する。このデータを書き換え装置から前記書き換え可能な記憶装置に更新して記録する。
【手続補正４】
【補正対象書類名】明細書
【補正対象項目名】０００４
【補正方法】変更
【補正の内容】
【０００４】
図６に主基板６と表示ユニット１０（サブ基板７）の回路構成を示す。主基板６はスィッチ群１１と主ＣＰＵ１３と図柄データＲＯＭ１４と記憶装置のＲＡＭ１５とＩ／Ｏインターフェース３６、メイン制御ＲＯＭ２５から構成され、これらはバス４０に接続されている。Ｉ／Ｏインターフェース３６には、スィッチ群１１の入賞センサＳＷ1や大入賞センサＳＷ2 や各種のセンサＳＷｉから検出信号が入力される。また、Ｉ／Ｏインターフェース３６からアタッカー（可動片）３を駆動する駆動回路９や大当たり状況を表示するランプを点灯するランプ回路２７に指令信号を出力する。バス４０は出力インターフェース４１を介してケーブル８に接続される。出力インターフェース４１にはサブ基板７に電力を供給する電源＋Ｖ1 が接続されている。